【事件の表示】
　平成１１年特許願第２６９９３８号「ディスク再生装置及び音量調整再生方法」拒絶査定不服審判事件〔平成１３年　４月　６日出願公開、特開２００１−　９３２３１〕について、次のとおり審決する。
【結　論】
　本件審判の請求は、成り立たない。
【理　由】
１．手続の経緯の概要・本願発明
　本願は、平成１１年９月２４日の出願であって、平成１６年９月３日付けで手続補正がなされ、平成１６年１２月２２日付けで拒絶査定がなされたところ、平成１７年１月２７日に拒絶査定不服審判が請求されたものである。
　
　そして、本願の請求項１乃至５に係る発明は、平成１６年９月３日付けの手続補正によって補正された明細書の特許請求の範囲の請求項１乃至５に記載された事項により特定されるとおりのものと認められるところ、その請求項１に係る発明は次のとおりである。
　
「【請求項１】
　所定の記録レベルにて記録媒体に記録された楽曲を再生する再生手段と、
　前記再生手段が楽曲を再生する際の再生音量を、自己の有する可変値に従って増減する音量増減手段と、
　楽曲を再生する際の目標音量を設定する音量設定手段と、
　記録媒体に記録された楽曲の記録レベルを取得する記録レベル取得手段と、
　前記記録レベル取得手段が取得した記録レベルを記憶する記録レベル記憶手段と、
　前記記録レベル記憶手段に記憶された記録レベル及び前記音量増減手段の可変値に従って定まる楽曲の再生音量が、前記音量設定手段により設定された目標音量と等しくなるように、前記音量増減手段の可変値の値を調整する音量調整手段と、
　を備えることを特徴とするディスク再生装置。」（以下「本願発明」という。）
　
２．引用例
　これに対し、原査定の拒絶の理由で引用された、本願の出願前である平成１１年５月１１日に頒布された刊行物である特開平１１−１２６４２４号公報（以下「引用例」という。）には、音響信号処理装置に関して図面とともに次の技術事項が記載されている。なお、下線は当審で付与した。
　
（ア）「【０００１】
【発明の属する技術分野】
本発明は、ＣＤ(Compact Disc)やＭＤ(Mini Disc)等の音響信号の編集・再生等に用いる音響信号処理装置に関する
【０００２】
【従来の技術】
音楽情報等の音響信号が記録されたディスク等の記録媒体では、ディスクによって、または記録された楽曲等の記録トラックによって、各々録音されている音響信号の音量レベルが異なることがある
【０００３】
【発明が解決しようとする課題】あるディスクやトラックの曲から他のディスクやトラックへ曲間の音量を揃えてつなぐように編集して再生又は録音する場合、２曲間等の音量を揃えるために、手動で調整操作をする必要があった。また、音量をうまく合わせるように調整するには、操作に慣れる必要があった。
本発明の目的は、音量レベルを自動調整することにより、手動操作を不要として、編集再生の操作性の良い音響信号処理装置を提供することにある
　
（イ）「【００３８】
【発明の実施の形態】図１に、本発明の音響信号処理装置の一実施例の構成をブロック図で示す。音響信号入力を１系統の構成とした実施例である。
デジタル記録媒体、デジタル伝送手段等から、音楽、音声等のデジタル音響信号が、入力端１に入力される。入力端１から入力されたデジタル音響信号Ｓは、デジタル信号処理部(DSP:DigitalSignal Processor)２で信号復調等、再生のためのデジタル信号処理される
【００３９】
デジタル信号処理部２から出力されたデジタル音響信号は、デジタルフィルタ３を介して、ＤＡ変換器(Ｄ／Ａ)４でデジタル音響信号からアナログ音響信号に変換されて、アンプ５で信号増幅されて、出力端６へ出力される。出力端６から出力されたアナログ音響信号は、スピーカやヘッドホン等の音響変換器に入力されて音響出力され、利用者は再生音響を聴くことができる
【００４０】
デジタル信号処理部２又はデジタルフィルタ３からの音響信号をマイクロコンピュータ等で構成される制御部(CPU:Central Processing Unit)１１に入力する。制御部１１に入力された音響信号は、制御部１１内のレベル検出部１２で音量の信号レベルが検出される
【００４１】レベル検出部１２で検出した信号レベルに応じて、入力端１から入力されたデジタル音響信号Ｓの信号レベルを合わせるために、制御部１１は、レベル検出部１２で検出した信号レベルを用いてデジタルアッテネート制御するデジタルアッテネート制御部１３によりデジタルフィルタ３の信号レベル減衰量(デジタルアッテネートレベル)を制御して、デジタル音響信号の再生音量を制御する。
【００４２】図１に示す本発明の実施例の構成では、制御部１１内のレベル検出部１２への入力信号として、デジタル信号処理部２から出力される音響信号、デジタルフィルタ３から出力される音響信号、及びＤＡ変換器４からフィルタ回路７及びピークホールド回路８を介して出力される音量のピークレベル信号について信号線を記載してあるが、どれか一つを用いて本発明の実施例の音響信号処理装置を実施することができる。」
　
（ウ）「【００４５】
デジタル音響信号Ｓの音量レベルを予め設定しておく場合には、制御部１１に接続したレベル入力部１４ａから、所望の音量レベルの値を入力し、レベル検出部１２に接続して設けたレベル記憶部１２ａに所望の音量の信号レベルを記憶させる
【００４６】
レベル検出部１２は、レベル記憶部１２ａから信号レベルの値を読み出す。制御部１１は、デジタル音響信号Ｓの音量の信号レベルを、レベル記憶部１２ａから読み出した信号レベルに合わせるように、デジタルアッテネート制御部１３を介してデジタルフィルタ３の信号レベル減衰量(デジタルアッテネートレベル)を制御する
　
（エ）「【００５０】図２に、図１の本発明の音響信号処理装置の動作の一実施例をフローチャート図として示す。
開始すると(ＳＱ１)、まず、出力音量レベルを合わせる基準レベルを選択して設定する
即ち、操作者は
入力部１４から入力して予めレベル記憶部１２ａに記憶させた音量の信号レベルを用いるかを選択して、各操作を行い、信号レベルをレベル記憶部１２ａに記憶させる(ＳＱ２)
レベル記憶部１２ａでは
この入力部１４の操作キーにより入力した音量の信号レベルを用いることができる
【００５１】
入力端１からデジタル音響信号Ｓが入力され、デジタル信号処理部(ＤＳＰ)２、デジタルフィルター３、又はピークホールド回路８から音響信号が制御部１１内のレベル検出部１２に入力されてレベル検出され(ＳＱ３)、ＳＱ２で設定しレベル記憶部１２ａに記憶した信号レベルを基準として合わせるように、デジタルフィルタ３の信号レベル減衰量を制御部１１の演算処理等により決めて、制御部１１は、デジタルアッテネート制御部１３を介して、デジタルフィルタ３のデジタルアッテネートレベルを制御する(ＳＱ４)
【００５２】
デジタルアッテネートレベルを決定すると、表示部１７に音量調整制御の完了を表示し(ＳＱ５)、操作者は音量調整した音響信号Ｓを出力するように入力部１４から操作入力し(ＳＱ６)、出力端６へ出力する(ＳＱ７)
【００５３】操作者は出力音量が良いかどうかを確認し(ＳＱ８)、音量調整する場合(ＳＱ８でＮＯ)には入力部１４から音量を調整操作し、制御部１１は、レベル記憶部１２ａに基準レベルを調整設定し、デジタルフィルタ３のアッテネートレベルを調整制御する(ＳＱ９)。音量調整しない場合か(ＳＱ８でＹＥＳ)、又はＳＱ９の音量調整を終えた場合、そのまま出力を続ける。」
　
（オ）「【００５７】
図３に、本発明の音響信号処理装置の一実施例の構成をブロック図で示す。音響信号入力を１系統の構成とした実施例である。図１に示した実施例の入力端１に光ディスク再生部２５を接続した構成であり
光ディスク９としては、ＣＤ(Compact Disc)、ＭＤ(Mini Disc)等のデジタル音響信号を記録した光ディスク等が用いられる。
【００５８】光ディスク９を再生する光ディスク再生部２５は、光ピックアップ１０、移動制御部１５、回転制御部１６により構成され、制御部１１内の光ディスク再生制御部１９によって制御される。
【００５９】光ディスク９の回転駆動は、制御部１１内に設けた光ディスク再生制御部１９から回転制御部１６を介して図示しないスピンドルモータを回転駆動制御し、光ディスクの種類に応じて所定の回転方向(矢印Ｃの方向又は矢印Ｃの逆方向)に所定の回転数で回転するように制御される。光ピックアップの水平移動駆動は、制御部１１内に設けた光ディスク再生制御部１９から移動制御部１５を介して、光ディスクの径方向(矢印Ｄ方向)に水平移動するように制御される。
【００６０】
光ディスク９から光ピックアップ１０により読み取られた音響信号Ｓは、デジタル信号処理部(DSP:Digital Signal Processor)２に入力されて、信号復調等、光ディスクの再生のためのデジタル信号処理される
【００６１】
デジタル信号処理部２からデジタルフィルタ３、ＤＡ変換器(Ｄ／Ａ)４、アンプ５、出力端６を経て出力される。出力端６から出力された音響信号は、スピーカやヘッドホン等により音響変換して出力され、利用者は再生音響を聴くことができる
　
（カ）「【００６２】図３に示す本発明の実施例の構成では、制御部１１内のレベル検出部１２への入力信号として、デジタル信号処理部２から出力される音響信号、デジタルフィルタ３から出力される音響信号、及びＤＡ変換器４からフィルタ回路７及びピークホールド回路８を介して出力される音量のピークレベル信号について信号線を記載してあるが、どれか一つを用いて本発明の実施例の音響信号処理装置を実施することができる。
【００６３】または、レベル検出部１２への入力信号として、レベル検出部１２でデジタル信号処理部２又はデジタルフィルタ３の出力と、ピークホールド回路８の出力の両方を接続して、レベル検出部１２でデジタル信号処理部２又はデジタルフィルタ３の出力か、あるいはピークホールド回路８の出力かを、入力部１４から制御部１１に入力して、いずれかの信号に切り替え、選択してレベル検出する構成として実施することができる。
【００６４】レベル検出部１２で検出しレベル記憶部１２ａに記憶した信号レベルに応じて、光ディスク９から入力された音響信号Ｓの信号レベルを調整するために、レベル検出部１２で検出したレベル量を用いてデジタルアッテネート制御するデジタルアッテネート制御部１３によりデジタルフィルタ３の信号レベル減衰量を制御して、音響信号の出力音量を制御する。
【００６５】
音響信号Ｓの音量レベルを予め設定しておく場合には、制御部１１に接続した入力部１４から、所望の音量レベルを入力し、レベル検出部１２に接続して設けたレベル記憶部１２ａに音量の信号レベル値を記憶する。レベル検出部１２は、レベル記憶部１２ａから信号レベルの値を読み出す。制御部１１は、デジタル音響信号Ｓの音量レベルをレベル記憶部１２ａから読み出した信号レベルを基準として合わせるように、デジタルアッテネート制御部１３を介してデジタルフィルタ３の信号レベル減衰量を制御する
　
（キ）「【００６７】図４に、図３の本発明の音響処理装置の動作の一実施例をフローチャート図で示す。
開始すると(ＳＲ１)、まず、出力音量レベルを合わせる基準レベルを選択して設定する
即ち、操作者は
入力部１４から入力して予めレベル記憶部１２ａに記憶させた音量信号レベルの値を用いるかを選択する(ＳＲ２)
レベル記憶部１２ａでは
入力部１４の操作キーにより入力した音量の信号レベルを用いることができる
【００６８】
光ディスク９を光ディスク再生部２５に装着した後(ＳＲ３でＹＥＳ)、装着した光ディスク９を早送り再生(スキャン再生)して再生音量の信号レベル検出を行う
【００６９】
スキャン再生の信号レベルは、デジタル信号処理部２又はディジタルフィルタ３から出力される音響信号、あるいはＤＡ変換器４からフィルタ回路７及びピークホールド回路８を介して、ピークレベル信号が、制御部１１内のレベル検出部１２に入力されて、レベル検出される(ＳＲ８)
【００７０】レベル検出するためのスキャン再生を行う場合、ダンス、ディスコ等のＤＪ(Disc Jocky)用途で多く用いられる曲を想定すると、音楽ソースは、特にクラシック音楽と対比してリズムを刻む打撃音、衝撃音等のビートがはっきりしているため、比較的ピークレベルが明確であり、ビートの音圧範囲が変わらずに比較的一定して単調に続く曲が多く用いられる。従って、レベル検出を行う場合、例えば、各楽曲のトラックの曲頭(イントロ)部分を１分間程度スキャン再生してレベル検出すれば、そのトラック全体の大方のピークレベルとして推定することができるため、トラック全部を通して再生する必要なく、短時間でレベル検出して用いることができる。
【００７１】
信号レベルを検出する場合、光ディスク再生部２５で光ディスク９をスキャン再生して入力されたデジタル音響信号Ｓは、デジタル信号処理部(ＤＳＰ)２、デジタルフィルター３、又はピークホールド回路８から音響信号が制御部１１内のレベル検出部１２に入力されてレベル検出され、レベル記憶部１２ａに記憶した信号レベルを基準として合わせるように、デジタルフィルタ３の信号レベル減衰量を制御部１１の演算処理等により決めて、制御部１１は、デジタルアッテネート制御部１３を介して、デジタルフィルタ３のデジタルアッテネートレベルを制御する(ＳＲ９)
【００７２】
デジタルアッテネートレベルを決定すると、表示部１７に音量調整制御の完了を表示する(ＳＲ１０)。音量のレベル設定を終えた光ディスクの再生を開始するため、光ディスクの第１トラックまたは操作者が選択再生指定(選曲)した楽曲のトラックの開始位置に光ピックアップ１０をセットして再生開始する(ＳＲ１１)。デジタルフィルタ３からは、音量制御された音響信号がＤＡ変換器４に出力され、設定した音量レベルに合わせた音響信号出力を得ることができる
【００７３】操作者は出力音量が良いかどうかを確認し(ＳＲ１２)、音量調整する場合(ＳＲ１２でＮＯ)には入力部１４から音量を調整操作し、制御部１１は、レベル記憶部１２ａに基準レベルを調整設定し、デジタルフィルタ３のアッテネートレベルを調整制御する(ＳＲ１３)。音量調整しない場合か(ＳＲ１２でＹＥＳ)、又はＳＱ１３の音量の基準レベル調整を終えた場合、そのまま出力を続ける。
【００７４】次に光ディスク９を交換して再生を行う対象があるか、光ディスク９上の他の楽曲等のトラックを再生するか、又は音量の自動調整を行う場合には(ＳＲ１４でＹＥＳ)、ＳＲ４のスキャン再生に戻り、ＳＲ４からＳＲ１４の処理を行う。光ディスクの再生を停止する場合には(ＳＲ１４でＮＯ)、処理動作を終了する(ＳＲ１５)。
【００７５】自動レベル検出動作を停止させて手動で音量調整を行う場合、切換入力部１４ｂから入力して、制御部１１の自動レベル検出動作を停止する。この場合、入力部１４に設けた音量調整つまみを手動で操作することにより、制御部１１によりデジタルフィルタ３が制御されて、音響信号Ｓの音量を調整することができる。」
　
３．対比
　引用例には、前記（ア）乃至（キ）の記載事項と図面の記載を総合勘案すると、次の発明（以下「引用例発明」という。）が記載されているものと認められる。
　
「楽曲のデジタル音響信号を記録した光ディスクを再生する光ディスク再生部と、
　デジタルアッテネート制御部を介して信号レベル減衰量（デジタルアッテネートレベル）を制御することで、光ディスクから再生されたデジタル音響信号の再生音量が制御されるデジタルフィルタと、
　音響信号の所望の音量レベルを入力する入力部及び入力された所望の音量の信号レベル値を記憶するレベル記憶部と、
　光ディスクを再生して入力されたデジタル音響信号の信号レベルを検出するレベル検出部と、
　デジタル音響信号の音量レベルをレベル記憶部から読み出した信号レベルを基準として合わせるようにデジタルアッテネート制御部を介してデジタルフィルタの信号レベル減衰量（デジタルアッテネートレベル）を制御する制御部と、
　を備える音響信号処理装置。」
　
　そこで、本願発明と引用例発明とを対比する。
　
(i)引用例発明の「楽曲のデジタル音響信号を記録した光ディスクを再生する光ディスク再生部」であるが、「光ディスク再生部」は再生手段に他ならないことから、本願発明の「記録媒体に記録された楽曲を再生する再生手段」に相当する。
　
(ii)引用例発明の「楽曲のデジタル音響信号」であるが、「光ディスク再生部」にて再生後に「レベル検出部」にてその信号レベルが検出されることから、所定の信号レベルで光ディスクに記録されていることは明らかである。
　
(iii)引用例発明の「信号レベル減衰量（デジタルアッテネートレベル）を制御することで、光ディスクから再生されたデジタル音響信号の再生音量が制御されるデジタルフィルタ」であるが、デジタルフィルタの信号レベル減衰量（デジタルアッテネートレベル）を制御することで楽曲のデジタル音響信号の再生音量が制御されることから、この「信号レベル減衰量（デジタルアッテネートレベル）」が本願発明の「自己の有する可変値」に相当することと、再生音量の「制御」とは再生音量を増減させることに他ならないことから、本願発明の「再生手段が楽曲を再生する際の再生音量を、自己の有する可変値に従って増減する音量増減手段」に相当する。
　
(iv)引用例発明の「音響信号の所望の音量レベルを入力する入力部及び入力された所望の音量の信号レベル値を記憶するレベル記憶部」であるが、「音響信号の所望の音量レベル」とは、楽曲を再生する際の目標音量としてユーザが入力するものに他ならないことと、「所望の音量レベル」を「入力」して「記憶する」ことで該「所望の音量レベル」が装置内に設定されることから、本願発明の「楽曲を再生する際の目標音量を設定する音量設定手段」に相当する。
　
(v)引用例発明の「光ディスクを再生して入力されたデジタル音響信号の信号レベルを検出するレベル検出部」であるが、楽曲の「デジタル音響信号」の「信号レベル」は、「光ディスクを再生」して得た楽曲の「デジタル音響信号」を「レベル検出部」に「入力」することで「検出」されることから、「レベル検出部」で「検出」されるのは記録媒体である「光ディスク」に記録された楽曲の「デジタル音響信号」の記録レベルに他ならないことと、「レベル検出部」で「検出」することで楽曲の「デジタル音響信号」の記録レベルが取得されることは明らかであることから、本願発明の「記録媒体に記録された楽曲の記録レベルを取得する記録レベル取得手段」に相当する。
　
(vi)引用例発明の「デジタル音響信号の音量レベルをレベル記憶部から読み出した信号レベルを基準として合わせるようにデジタルアッテネート制御部を介してデジタルフィルタの信号レベル減衰量（デジタルアッテネートレベル）を制御する制御部」であるが、
(vi-1)引用例発明では、「レベル検出部」で検出した信号レベルすなわち記録レベル（(v)参照）と、「デジタルフィルタ」の「信号レベル減衰量（デジタルアッテネートレベル）」に基づいて、楽曲の「デジタル音響信号」の「音量レベル」すなわち「再生音量」が制御されること（２．（キ）参照）から、これらにより楽曲の「デジタル音響信号」の「再生音量」が定まるものであること、
(vi-2)引用例発明では「デジタルフィルタ」の「信号レベル減衰量（デジタルアッテネートレベル）」を制御することで楽曲のデジタル音響信号の再生音量が制御され、「信号レベル減衰量（デジタルアッテネートレベル）」が本願発明の「音量増減手段」が有する「可変値」に相当する((iii)参照）こと、
(vi-3)引用例発明の「レベル記憶部から読み出した信号レベル」は、本願発明の「音量設定手段により設定された目標音量」に相当し（(iv)参照）、これを「基準として合わせる」ことが、これに等しくなるように調整することに他ならないこと、
等々を総合すると、本願発明の「（取得された楽曲の）記録レベル及び音量増減手段の可変値に従って定まる楽曲の再生音量が、音量設定手段により設定された目標音量と等しくなるように、音量増減手段の可変値の値を調整する音量調整手段」に相当する。
　
(vii)引用例発明の「音響信号処理装置」は、「デジタル音響信号を記録した光ディスクを再生する光ディスク再生部」を備えており、本願発明の「ディスク再生装置」に相当する機能を有している。
　
　したがって、本願発明と引用例発明は、
　
「所定の記録レベルにて記録媒体に記録された楽曲を再生する再生手段と、
　前記再生手段が楽曲を再生する際の再生音量を、自己の有する可変値に従って増減する音量増減手段と、
　楽曲を再生する際の目標音量を設定する音量設定手段と、
　記録媒体に記録された楽曲の記録レベルを取得する記録レベル取得手段と、
　前記記録レベル及び前記音量増減手段の可変値に従って定まる楽曲の再生音量が、前記音量設定手段により設定された目標音量と等しくなるように、前記音量増減手段の可変値の値を調整する音量調整手段と、
　を備えるディスク再生装置。」
　
の点で一致し、以下の点で相違する。
　
（相違点）
　記録レベル取得手段によって取得された楽曲の記録レベルに関し、本願発明では該記録レベルを記憶する記録レベル記憶手段を有しており、音量調整手段において、該記録レベル記憶手段に記憶された記録レベルを用いて調整を行うのに対し、引用例発明では、このような記録レベル記憶手段について特段の言及がない点。
　
４．判断
　そこで、上記相違点について検討する。
　引用例発明においては、レベル検出部にてレベル検出された信号レベルを、レベル記憶部に記憶した信号レベル、すなわちユーザが入力した所望の音量レベルを基準として合わせるようにデジタルフィルタの信号レベル減衰量を求めていることから（２．（キ）参照）、レベル検出された信号レベルを、減衰量を求める処理のために装置内部の例えばレジスタなどを用いて記憶しておくことは当業者が通常行いうる程度の事項であり、何ら格別のものではない。
　また、ディスクを再生して得た音声信号（音楽情報）から検出された信号レベルに基づいて再生音量を調整するという本願発明と共通する技術分野において、該検出された信号レベルに関する情報を記憶し、該記憶した情報に基づいて調整を行うことは、例えば原査定の拒絶の理由で引用された刊行物である特開平１０−１８８４８５号公報の【００３７】〜【００４４】をはじめ、特開平１−３０３６９０号公報、特開平２−８９２５２号公報などにみられるように本願出願前に周知であり、記憶する信号レベルに関する情報として、信号のピークレベル、すなわち記録レベルを記憶することも上記特開平１−３０３６９０号公報や上記特開平２−８９２５２号公報などにみられるように本願出願前に周知である。
　結局、引用例発明において、取得された楽曲の記録レベルを記憶し、該記憶された記録レベルを用いて音量調整を行うようになすことは、当業者が通常行いうる程度の事項であるか、乃至は上記周知技術を勘案することで当業者が適宜乃至容易になし得たものである。
　そして、本願発明の奏する効果も引用例及び周知技術から当業者が十分予測可能なものであって格別のものとはいえない。
　
　よって、本願発明は、引用例発明及び周知技術から当業者が容易に想到し得たものである。
　
５．むすび
　以上のとおり、本願の請求項１に係る発明は、その出願前日本国内において頒布された刊行物に記載された発明に基づいて当業者が容易に発明をすることができたものであるから、特許法第２９条第２項の規定により特許を受けることができない。
　したがって、本願は、その余の請求項について論及するまでもなく、拒絶すべきものである。
　
　よって、結論のとおり審決する。